(57)【要約】【課題】  個々の通信端末が個々のサービスを利用して通信する場合、サービス毎に機能をカスタマイズすることが可能となるので、通信端末間のコンテンツデータの伝送を管理することが困難になる。【解決手段】  伝送管理ＤＢ５００７は、一方の端末１０側のサービスＩＤ、及び他方の端末１０側のサービスＩＤに関連付けて、一方の端末１０へ伝送するコンテンツデータを示すコンテンツ情報を管理する。セッション制御部５８は、セッションが確立されてから、一方の端末１０側のサービスＩＤ、及び他方の端末１０側のサービスＩＤに関連付けられて伝送管理ＤＢ５００７において管理されているコンテンツ情報によって示されるコンテンツデータが、他方の端末１０から一方の端末１０へ伝送されるように制御する。【選択図】図６
2016072970.tif 000002
【特許請求の範囲】
【請求項１】
複数の通信端末間のコンテンツデータの伝送を管理する伝送管理装置であって、
前記複数の通信端末のうち、一方の通信端末が利用するサービスの識別情報、及び他方の通信端末が利用するサービスの識別情報に関連付けて、前記一方の通信端末へ伝送するコンテンツデータを特定するための特定情報を管理する伝送管理手段と、
前記複数の通信端末間で、前記コンテンツデータを伝送するためのセッションが確立されてから、前記複数の通信端末のうち、前記一方の通信端末が利用するサービスの識別情報、及び前記他方の通信端末が利用するサービスの識別情報に関連付けられて前記伝送管理手段において管理されている特定情報によって特定されるコンテンツデータが、前記他方の通信端末から前記一方の通信端末へ伝送されるように制御する伝送制御手段と、
を有することを特徴とする伝送管理装置。
【請求項２】
前記複数の通信端末のそれぞれからサービスの利用申請を受け付ける利用申請受付手段を有しており、
前記伝送制御手段は、前記利用申請受付手段が、前記通信端末から受け付けたそれぞれのサービスの識別情報に基づいて、前記コンテンツデータの伝送を制御することを特徴とする請求項１に記載の伝送管理装置。
【請求項３】
前記サービスの名称を示す名称情報、及び、通信端末側の役割を示すロール情報に関連付けて、前記サービスの識別情報を管理するサービス管理手段を、有しており、
前記利用申請受付手段は、前記サービスの名称及び前記役割を指定したサービスの利用申請を受け付け、
前記伝送制御手段は、指定された前記サービスの名称情報、及び指定された前記役割を示すロール情報に関連付けられて、前記サービス管理手段において管理されている前記サービスの識別情報に基づいて、前記コンテンツデータの伝送を制御することを特徴とする請求項２に記載の伝送管理装置。
【請求項４】
請求項１に記載の伝送管理装置を備えており、
通信相手の通信端末及び自通信端末が利用するサービスの識別情報を受信する受信手段を有し、
前記伝送制御手段は、前記受信手段が受信した各サービスの識別情報に基づいて、前記コンテンツデータの伝送を制御することを特徴とする通信端末。
【請求項５】
請求項１に記載の伝送管理装置を備えており、
通信相手の通信端末が利用するサービスの識別情報を受信する受信手段を有し、
前記伝送制御手段は、前記受信手段が受信したサービスの識別情報、及び自通信端末が管理するサービスの識別情報に基づいて、前記コンテンツデータの伝送を制御することを特徴とする通信端末。
【請求項６】
請求項１乃至３のいずれか一項に記載の伝送管理装置と、
前記複数の通信端末間で前記コンテンツデータを中継する中継装置と、
を備えたことを特徴とする通信システム。
【請求項７】
前記伝送管理装置は、
前記伝送制御手段による制御に基づいた中継開始要求を前記中継装置へ送信する送信手段を有することを特徴とする請求項６に記載の通信システム。
【請求項８】
請求項４又は５に記載の通信端末と、
前記複数の通信端末間で前記コンテンツデータを中継する中継装置と、
を備えたことを特徴とする通信システム。
【請求項９】
複数の通信端末のうち、一方の通信端末が利用するサービスの識別情報、及び他方の通信端末が利用するサービスの識別情報に関連付けて、前記一方の通信端末へ伝送するコンテンツデータを特定するための特定情報を管理する伝送管理手段を有する伝送管理装置に、
前記複数の通信端末間で、前記コンテンツデータを伝送するためのセッションが確立されてから、前記複数の通信端末のうち、前記一方の通信端末が利用するサービスの識別情報、及び前記他方の通信端末が利用するサービスの識別情報に関連付けられて前記伝送管理手段において管理されている特定情報によって特定されるコンテンツデータが、前記他方の通信端末から前記一方の通信端末へ伝送されるように制御させることを特徴とする伝送方法。
【請求項１０】
複数の通信端末のうち、自通信端末が利用するサービスの識別情報、及び通信相手の通信端末が利用するサービスの識別情報に関連付けて、前記自通信端末へ伝送するコンテンツデータを特定するための特定情報を管理する伝送管理手段を有する通信端末に、
前記通信相手の通信端末及び自通信端末が利用するサービスの識別情報を受信する受信処理を実行させ、
前記複数の通信端末間で、前記コンテンツデータを伝送するためのセッションが確立されてから、前記受信処理で受信した前記自通信端末が利用するサービスの識別情報、及び前記受信処理で受信した前記通信相手の通信端末が利用するサービスの識別情報に関連付けられて前記伝送管理手段において管理されている特定情報によって特定されるコンテンツデータが、前記通信相手の通信端末から前記自通信端末へ伝送されるように制御させることを特徴とする伝送方法。
【請求項１１】
伝送管理装置に、請求項１乃至３のいずれか一項に記載の各手段を実現させることを特徴とするプログラム。
【請求項１２】
通信端末に、請求項４に記載の各手段を実現させることを特徴とするプログラム。
【発明の詳細な説明】
【技術分野】
【０００１】
本発明は、伝送管理装置、通信端末、通信システム、伝送方法、及びプログラムに関する。
【背景技術】
【０００２】
近年、当事者の移動の経費や時間を削減する要請等に伴い、インターネットや専用線等の通信ネットワークを介して通信するための通信システムが普及している。このような通信システムでは、複数の通信端末の間で通信を開始すると、画像データ及び音データ等のコンテンツデータの送受信が行われる（特許文献１参照）。これにより、通信システムは、通話、テレビ会議、講演、受付、お客様サポート、遠隔医療、或いは遠隔監視等の様々なビジュアルコミュニケーション（Visual Communication, VC）サービスを提供できる。
【発明の概要】
【発明が解決しようとする課題】
【０００３】
また、例えば、遠隔監視カメラ用のサービスや、モニタ用のサービス等の目的に応じたサービスを利用することで、通信端末を様々な目的で使用することもできる。
【０００４】
この場合、通信端末のそれぞれが、例えば、提供元の異なるサービスを利用しても通信端末間のコミュニケーションが可能になる等、サービスの選択の自由度は高まっている。
【０００５】
しかしながら、個々の通信端末が個々のサービスを利用して通信する場合、サービス毎に機能をカスタマイズすることが可能となるので、通信端末間のコンテンツデータの伝送を管理することが困難になるという課題が生じる。
【課題を解決するための手段】
【０００６】
請求項１に係る発明の伝送管理装置は、複数の通信端末間のコンテンツデータの伝送を管理する伝送管理装置であって、前記複数の通信端末のうち、一方の通信端末が利用するサービスの識別情報、及び他方の通信端末が利用するサービスの識別情報に関連付けて、前記一方の通信端末へ伝送するコンテンツデータを特定するための特定情報を管理する伝送管理手段と、前記複数の通信端末間で、前記コンテンツデータを伝送するためのセッションが確立されてから、前記複数の通信端末のうち、前記一方の通信端末が利用するサービスの識別情報、及び前記他方の通信端末が利用するサービスの識別情報に関連付けられて前記伝送管理手段において管理されている特定情報によって特定されるコンテンツデータが、前記他方の通信端末から前記一方の通信端末へ伝送されるように制御する伝送制御手段と、を有することを特徴とする。
【発明の効果】
【０００７】
本発明の伝送管理装置によると、個々の通信端末が個々のサービスを利用して通信する場合に、サービス毎に機能を任意にカスタマイズすることが可能であっても、通信端末間のコンテンツデータの伝送を管理することが容易になるという効果を奏する。
【図面の簡単な説明】
【０００８】
【図１】図１は、一実施形態に係る通信システムの概略図である。
【図２】図２は、一実施形態に係る端末の外観図である。
【図３】図３は、一実施形態に係る端末のハードウェア構成図である。
【図４】図４は、一実施形態に係る管理システム、中継装置、プログラム提供システム、又はメンテナンスシステムのハードウェア構成図である。
【図５】図５は、一実施形態に係る端末のソフトウェア構成図である。
【図６】図６は、一実施形態に係る通信システムを構成する各端末及び管理システムの機能ブロック図である。
【図７】図７は、管理システムにおいて管理される各テーブルを示す概念図である。
【図８】図８は、管理システムにおいて管理される各テーブルを示す概念図である。
【図９】図９は、端末間で通話を開始する準備段階の処理を示したシーケンス図である。
【図１０】図１０は、アプリリストの画面例を示した図である。
【図１１】図１１は、サービス利用申請処理を示したシーケンス図である。
【図１２】図１２は、サービス利用申請処理を示したシーケンス図である。
【図１３】図１３は、コンテンツデータの取得を要求する処理を示したシーケンス図である。
【図１４】図１４は、コンテンツデータの伝送の可否を判断する処理を示したフロー図である。
【図１５】図１５は、通信システムを構成する各端末の機能ブロック図である。
【図１６】図１６は、コンテンツデータの取得を要求する処理を示したシーケンス図である。
【図１７】図１７は、コンテンツデータの伝送の可否を判断する処理を示したフロー図である。
【図１８】図１８は、通信システムを構成する各端末の機能ブロック図である。
【図１９】図１９は、コンテンツデータの取得を要求する処理を示したシーケンス図である。
【発明を実施するための形態】
【０００９】
以下、図面を用いて、本発明の一実施形態を詳細に説明する。なお、以下では、「通信端末」は単に「端末」として表され、「通信管理システム」は単に「管理システム」として表されている。
【００１０】
＜＜通信システム１の全体構成＞＞
図１は、本発明の一実施形態に係る通信システムの概略図である。図１に示されているように、通信システム１は、複数の端末（１０ａａ，１０ａｂ，…）、各端末（１０ａａ，１０ａｂ，…）用のディスプレイ（１２０ａａ，１２０ａｂ，…）、複数の中継装置（３０ａ，３０ｂ，３０ｃ，３０ｄ，３０ｅ）、管理システム５０、プログラム提供システム９０、及びメンテナンスシステム１００によって構築されている。この通信システム１によって、コンテンツデータの一例としての画像データ及び音データの通信が行われることで、遠隔地間のテレビ会議等を実現することができる。なお、複数のルータ（７０ａ，７０ｂ，７０ｃ，７０ｄ，７０ａｂ）は、コンテンツデータの最適な経路の選択を行う。
【００１１】
端末（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されている。更に、ＬＡＮ２ａ、ＬＡＮ２ｂ、及び専用線２ａｂは、所定の地域Ｘ内で構築されている。なお、各装置は、必ずしも専用線によって接続されている必要はなく、例えば直接インターネット２ｉに接続されていてもよい。
【００１２】
端末（１０ｃａ，１０ｃｂ，１０ｃｃ，・・・）、中継装置３０ｃ、及びルータ７０ｃは、ＬＡＮ２ｃによって通信可能に接続されている。ＬＡＮ２ｃは、所定の地域Ｙ内で構築されている。
【００１３】
端末（１０ｄａ，１０ｄｂ，１０ｄｃ，・・・）、中継装置３０ｄ、及びルータ７０ｄは、ＬＡＮ２ｄによって通信可能に接続されている。ＬＡＮ２ｄは、所定の地域Ｚ内で構築されている。地域Ｘ、地域Ｙ、及び地域Ｚは、同一国内であっても、異なる国であっても良い。
【００１４】
地域Ｘ、地域Ｙ、及び地域Ｚは、それぞれルータ（７０ａｂ，７０ｃ，７０ｄ）からインターネット２ｉを介して通信可能に接続されている。なお、地域Ｚには、コールセンターが設けられている。各端末１０は、コールセンターの端末（１０ｄａ，１０ｄｂ，１０ｄｃ，・・・）と接続することで、レセプションサービスを受けることができる。
【００１５】
なお、以下では、複数の端末（１０ａａ，１０ａｂ，…）のうち任意の端末は、「端末１０」と表され、複数のディスプレイ（１２０ａａ，１２０ａｂ，…）のうち任意のディスプレイは「ディスプレイ１２０」と表され、複数の中継装置（３０ａ，３０ｂ，３０ｃ，３０ｄ，３０ｅ）のうち任意の中継装置は「中継装置３０」と表されている。また、ルータ（７０ａ，７０ｂ，７０ｃ，７０ｄ，７０ａｂ）のうち任意のルータは、「ルータ７０」と表されている。
【００１６】
また、管理システム５０、プログラム提供システム９０、及びメンテナンスシステム１００は、インターネット２ｉに接続されている。なお、管理システム５０、プログラム提供システム９０、及びメンテナンスシステム１００は、地域（Ｘ，Ｙ，Ｚ）に設置されていても良いし、これら以外の地域に設置されていても良い。
【００１７】
また、本実施形態では、ＬＡＮ（２ａ，２ｂ，２ｃ，２ｄ）、専用線２ａｂ、及びインターネット２ｉによって、本実施形態の通信ネットワーク２が構築されている。この通信ネットワーク２には、有線だけでなく、ＷｉＦｉ(Wireless Fidelity)やＢｌｕｅｔｏｏｔｈ（登録商標）、携帯電話網等の無線による通信が行われる箇所があってもよい。
【００１８】
また、図１において、各端末１０、各中継装置３０、管理システム５０、各ルータ７０、プログラム提供システム９０、及びメンテナンスシステム１００の下に示されている４組の数字は、一般的なＩＰｖ４におけるＩＰアドレスを簡易的に示している。また、ＩＰｖ４ではなく、ＩＰｖ６を用いてもよいが、説明を簡略化するため、ＩＰｖ４を用いて説明している。
【００１９】
また、各端末１０は、後述のアプリケーションが起動されると、音データ又は画像データを含むコンテンツデータの送受信により、ユーザ間の通話を可能にする。更に、端末１０は、所定の通信方式（通話の宛先と接続又は切断をするための呼制御方式、及び通話データをＩＰパケット化するための符号化方式）を利用して、通話データの送受信を行う。なお、以下、「アプリケーション」は「アプリ」と省略して説明する。
【００２０】
また、上述の呼制御方式としては、(1)SIP(Session Initiation Protocol)、(2)H.323、(3)SIPを拡張したプロトコル、(4)インスタントメッセンジャーのプロトコル、(5)SIPのMESSAGEメソッドを利用したプロトコル、(6)インターネットリレーチャットのプロトコル(IRC(Internet Relay Chat))、(7)インスタントメッセンジャーのプロトコルを拡張したプロトコル等が挙げられる。このうち、(4)インスタントメッセンジャーのプロトコルは、例えば、(4-1)XMPP(Extensible Messaging and Presence Protocol)、又は(4-2)ICQ（登録商標）、AIM（登録商標）、若しくはSkype（登録商標）などで利用されるプロトコルである。また、(7)インスタントメッセンジャーのプロトコルを拡張したプロトコルは、例えば、Jingleである。
【００２１】
＜＜実施形態のハードウェア構成＞＞
次に、本実施形態のハードウェア構成を説明する。図２は、一実施形態に係る端末１０の外観図である。
図２に示されているように、端末１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、吸気面を介して端末１０の後方の外気を取り込み、排気面１１２１を介して端末１０の後方へ排気することができる。筐体１１００の右側壁面１１３０に収音用孔１１３１が形成されていることで、後述する内蔵型のマイク１１４は、音声、物音、雑音等の音を収音可能となっている。
【００２２】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００２３】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００２４】
次に、アーム１２００は、トルクヒンジ１２１０を介して筐体１１００に取り付けられており、アーム１２００が筐体１１００に対して、１３５度のチルト角θ１の範囲で、上下方向に回転可能になっている。図２は、チルト角θ１が９０度の状態を示している。
カメラハウジング１３００には、後述の内蔵型のカメラ１１２が設けられており、ユーザ、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。カメラハウジング１３００はアーム１２００に対して、図２で示されている状態を０度として±１８０度のパン角θ２の範囲で、且つ、±４５度のチルト角θ３の範囲で、上下左右方向に回転可能になっている。
【００２５】
なお、上記図２の外観図はあくまで一例であってこの外観に限定するものではない。他の例としては、端末１０は、一般の汎用コンピュータあるいは携帯電話端末、プロジェクタ、電子ホワイトボード、電子看板(デジタルサイネージ)等であってもよい（図１の端末（１０ａｃ，１０ｃｃ）参照）。端末１０として用いるコンピュータに、マイクやカメラが備わっていない場合には、外付けのマイクおよびカメラをコンピュータに接続させることができる。また、端末１０が汎用コンピュータや携帯電話端末等である場合には、無線ＬＡＮや携帯電話網などによる無線通信により、端末１０とインターネット２ｉとを接続しても良い。また、端末１０として汎用コンピュータを用いる場合には、当該コンピュータに後述する端末１０の処理を実行するためのアプリケーションをインストールしておくことができる。
【００２６】
なお、管理システム５０、プログラム提供システム９０、及びメンテナンスシステム１００は、それぞれ一般のサーバコンピュータの外観と同じであるため、外観の説明を省略する。
【００２７】
図３は、一実施形態に係る端末１０のハードウェア構成図である。端末１０は、端末１０全体の動作を制御するＣＰＵ１０１(Central Processing Unit)、ＩＰＬ(Initial Program Loader)等のＣＰＵ１０１の駆動に用いられるプログラムを記憶したＲＯＭ１０２(Read Only Memory)、ＣＰＵ１０１のワークエリアとして使用されるＲＡＭ１０３(Random Access Memory)、端末１０用のプログラム、画像データ、及び音データ等の各種データを記憶するフラッシュメモリ１０４、ＣＰＵ１０１の制御にしたがってフラッシュメモリ１０４に対する各種データの読み出し又は書き込みを制御するＳＳＤ１０５（Solid State Drive）、フラッシュメモリやＩＣカード（Integrated Circuit Card）等の記録メディア１０６に対するデータの読み出し又は書き込み（記憶）を制御するメディアＩ／Ｆ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ１１１(Interface)を備えている。
【００２８】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音を入力する内蔵型のマイク１１４、音を出力する内蔵型のスピーカ１１５、ＣＰＵ１０１の制御に従ってマイク１１４及びスピーカ１１５との間で音信号の入出力を処理する音入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、端末１０の各種機能の異常を知らせるアラームランプ１１９、及び上記各構成要素を図３に示されているように電気的に接続するためのアドレスバスやデータバス等のバスライン１１０を備えている。
【００２９】
ディスプレイ１２０は、被写体の画像等を表示する表示部である。ディスプレイ１２０の一例として液晶や有機ＥＬ(Organic Electroluminescence)が挙げられる。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００３０】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００３１】
外部機器接続Ｉ／Ｆ１１８には、筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００３２】
なお、記録メディア１０６は、端末１０に対して着脱自在となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００３３】
図４は、一実施形態に係る管理システム５０のハードウェア構成図である。管理システム５０は、管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、管理システム５０用のプログラム等の各種データを記憶するＨＤ２０４、ＣＰＵ２０１の制御にしたがってＨＤ２０４に対する各種データの読み出し又は書き込みを制御するＨＤＤ２０５(Hard Disk Drive)、フラッシュメモリ等の記録メディア２０６に対するデータの読み出し又は書き込み（記憶）を制御するメディアＩ／Ｆ２０７、カーソル、メニュー、ウィンドウ、文字、又は画像などの各種情報を表示するディスプレイ２０８、通信ネットワーク２を利用してデータ通信するためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ２１３(Compact Disc Read Only Memory)に対する各種データの読み出し又は書き込みを制御するＣＤ−ＲＯＭドライブ２１４、及び、上記各構成要素を図４に示されているように電気的に接続するためのアドレスバスやデータバス等のバスライン２１０を備えている。
【００３４】
一方、中継装置３０、プログラム提供システム９０、及びメンテナンスシステム１００は、上記管理システム５０と同様のハードウェア構成を有しているため、その説明を省略する。
【００３５】
図５は、一実施形態に係る端末１０のソフトウェア構成図である。図５に示されているように、ＯＳ１０２０、テレビ会議アプリ１０３１、及びレセプションアプリ１０３２は、ＲＡＭ１０３の作業領域１０１０上で動作する。ＯＳ１０２０、及び、これらのアプリは、端末１０にインストールされている。
【００３６】
また、これらのうち、ＯＳ１０２０は、基本的な機能を提供し、端末１０全体を管理する基本ソフトウェアである。テレビ会議アプリ１０３１は、他の端末１０と接続して、テレビ会議を行うためのアプリである。レセプションアプリ１０３２は、コールセンターの端末１０と接続して、オペレータと通話するためのアプリである。
【００３７】
なお、上記アプリは、一例であって、他のアプリがインストールされていてもよい。他のアプリがインストールされる場合は、プログラム提供システム９０に他のアプリを保存しておき、端末１０の要求に応じて他のアプリをダウンロードしてもよい。また、複数のテレビ会議アプリがインストールされる場合は、上記(1)〜(7)のように、異なるプロトコルのテレビ会議アプリがインストールされてもよい。
【００３８】
＜＜実施形態の機能構成＞＞
次に、本実施形態の機能構成について説明する。図６は、一実施形態に係る通信システム１の一部を構成する端末１０、及び管理システム５０の機能ブロック図である。なお、図６では、端末１０、及び管理システム５０が、通信ネットワーク２を介してデータ通信することができるように接続されている。
【００３９】
＜端末の機能構成＞
端末１０は、装置制御部１０５０及び通話制御部１０６０を有している。このうち、装置制御部１０５０は、ＯＳ１０２０が実行されることによって実現される。また、通話制御部１０６０は、テレビ会議アプリ１０３１又はレセプションアプリ１０３２が起動されることによって実現される。
【００４０】
また、装置制御部１０５０は、送受信部１１、操作入力受付部１２、表示制御部１３、及び記憶・読出部１９を有している。これら各部は、図３に示されている各構成要素のいずれかが、フラッシュメモリ１０４からＲＡＭ１０３上に展開された起動アプリ（プログラム）に従ったＣＰＵ１０１からの命令によって動作することで実現される機能である。
【００４１】
一方、通話制御部１０６０は、送受信部２１、起動部２２、表示制御部２４、機能実行部２５、及び記憶・読出部２９を有している。これら各部は、図３に示されている各構成要素のいずれかが、フラッシュメモリ１０４からＲＡＭ１０３上に展開されたテレビ会議アプリ１０３１又はレセプションアプリ１０３２（プログラム）に従ったＣＰＵ１０１からの命令によって動作することで実現される機能である。
【００４２】
また、端末１０は、図３に示されているＲＯＭ１０２、ＲＡＭ１０３、フラッシュメモリ１０４によって構築される記憶部１０００を有している。
【００４３】
（装置制御部の各機能構成）
次に、端末１０における装置制御部１０５０の各機能構成について詳細に説明する。なお、以下では、端末１０における装置制御部１０５０の各機能構成を説明するにあたって、図３に示されている各構成要素のうち、装置制御部１０５０の各機能構成を実現させるための主な構成要素との関係も説明する。
【００４４】
送受信部１１は、ＣＰＵ１０１からの命令、及びネットワークＩ／Ｆ１１１によって実現され、通信ネットワーク２を介して、通信相手の端末、各装置又はシステム等と各種データ（または情報）の送受信を行う。
【００４５】
操作入力受付部１２は、ＣＰＵ１０１からの命令、並びに操作ボタン（１０８ａ，１０８ｂ，１０８ｃ，１０８ｄ，１０８ｅ）及び電源スイッチ１０９によって実現され、ユーザによる各種入力又は各種選択を受け付ける。
【００４６】
表示制御部１３は、ＣＰＵ１０１からの命令、及びディスプレイＩ／Ｆ１１７によって実現され、画像をディスプレイ１２０において表示するための制御を行う。
【００４７】
記憶・読出部１９は、ＣＰＵ１０１からの命令及びＳＳＤ１０５によって実現され、又はＣＰＵ１０１からの命令によって実現され、記憶部１０００に各種データを記憶したり、記憶部１０００に記憶された各種データを読み出す処理を行う。
【００４８】
（通話制御部の各機能構成）
次に、端末１０における通話制御部１０６０の各機能構成について詳細に説明する。なお、以下では、端末１０における通話制御部１０６０の各機能構成を説明するにあたって、図３に示されている各構成要素のうち、通話制御部１０６０の各機能構成を実現させるための主な構成要素との関係も説明する。
【００４９】
送受信部２１は、ＣＰＵ１０１からの命令、及びネットワークＩ／Ｆ１１１によって実現され、通信ネットワーク２を介して、通信相手の端末、各装置又はシステム等と各種データ（または情報）の送受信を行う。
【００５０】
起動部２２は、ＣＰＵ１０１からの命令によって実現され、装置制御部１０５０の操作入力受付部１２がユーザによるアプリの選択を受け付けた場合に、操作入力受付部１２の起動要求に基づいて通話制御部１０６０（テレビ会議アプリ又はレセプションアプリ）の動作を起動する。
【００５１】
表示制御部２４は、ＣＰＵ１０１からの命令、及びディスプレイＩ／Ｆ１１７によって実現され、画面のデータをディスプレイ１２０に送信するための制御を行う。
【００５２】
機能実行部２５は、ＣＰＵ１０１からの命令、及びカメラ１１２、マイク１１４、又はスピーカ１１５等によって実現され、画像又は音等による通話を実現するための制御を行う。
【００５３】
記憶・読出部２９は、ＣＰＵ１０１からの命令及びＳＳＤ１０５によって実現され、又はＣＰＵ１０１からの命令によって実現され、記憶部１０００に各種データを記憶したり、記憶部１０００に記憶された各種データを読み出す処理を行う。
【００５４】
＜管理システムの機能構成＞
管理システム５０は、送受信部５１、認証部５２、管理部５３、セッション制御部５８、及び記憶・読出部５９を有している。これら各部は、図４に示されている各構成要素のいずれかが、ＨＤ２０４からＲＡＭ２０３上に展開された管理システム５０用のプログラムに従ったＣＰＵ２０１からの命令によって動作することで実現される機能である。また、管理システム５０は、ＨＤ２０４により構築される記憶部５０００を有している。この記憶部５０００には、アプリＩＤ毎に、アプリアイコンのデータが記憶されている。更に、記憶部５０００には、以下に示すような各テーブルによって各ＤＢが構築される。
【００５５】
（認証管理テーブル）
図７（Ａ）は、認証管理テーブルを示す概念図である。記憶部５０００には、図７（Ａ）に示されているような認証管理テーブルによって認証管理ＤＢ５００１が構築されている。この認証管理テーブルでは、管理システム５０によって管理される全ての端末１０の各通信ＩＤに対して、認証用のパスワード、及び、端末１０において利用可能なサービスを識別するためのサービスＩＤが関連付けられて管理される。なお、通信ＩＤは、コンテンツデータ用セッションにおいて、通信先を特定するための情報である。通信ＩＤとしては、特に限定されないが、例えば、端末１０の識別情報、端末１０のユーザのアカウント等が含まれる。以下、端末１０ａａの通信ＩＤは「０１ａａ」、端末１０ｄｂの通信ＩＤは「０１ｄｂ」であるものとして説明を続ける。
【００５６】
（端末管理テーブル）
図７（Ｂ）は、端末管理テーブルを示す概念図である。記憶部５０００には、図７（Ｂ)に示されているような端末管理テーブルによって端末管理ＤＢ５００２が構築されている。この端末管理テーブルでは、各端末１０の通信ＩＤ毎に、各端末１０を宛先とした場合の宛先名（端末名）、各端末１０の稼働状態、及び各端末１０のＩＰアドレス、及び端末１０が利用しているサービスのサービスＩＤが関連付けられて管理される。なお、稼働状態「ＯＦＦライン」は、管理システム５０と接続していない状態を示す。稼働状態「ＯＮライン（通信可能）」は、管理システム５０と接続しているが、他の端末１０と通信していない状態を示す。稼働状態「ＯＮライン（通信中）」は、管理システム５０と接続して、他の端末１０と通信している状態を示す。
【００５７】
（アプリ利用可否管理テーブル）
図７（Ｃ)は、アプリ利用可否管理テーブルを示す概念図である。記憶部５０００には、図７（Ｃ）に示されているようなアプリ利用可否管理テーブルによってアプリ利用可否管理ＤＢ５００３が構築されている。このアプリ利用可否管理テーブルでは、端末１０の通信ＩＤ及びこの端末１０にインストールされている複数のアプリのそれぞれを識別するためのアプリＩＤ毎に、この端末１０でそれぞれのアプリが利用可能（Ｏｎ）又は利用不可能（Ｏｆｆ）を示す利用可否情報を関連付けて管理している。
【００５８】
（セッション管理テーブル）
図７（Ｄ）は、セッション管理テーブルを示す概念図である。記憶部５０００には、図７（Ｄ）に示されているようなセッション管理テーブルによってセッション管理ＤＢ５００５が構築されている。このセッション管理テーブルでは、端末１０間でコンテンツデータが送信されるセッションを識別するためのセッションＩＤ毎に、このセッションにおいて、端末１０間でコンテンツデータを中継する中継装置３０の中継装置ＩＤ、このセッションに参加している端末１０の通信ＩＤが関連付けられて管理される。
【００５９】
（サービスリスト管理テーブル）
図８（Ａ）は、サービスリスト管理テーブルを示す概念図である。記憶部５０００には、図８（Ａ）に示されているようなサービスリスト管理テーブルによってサービスリスト管理ＤＢ５００６が構築されている。このサービスリスト管理テーブルでは、上記のサービスＩＤ、サービス名、及び、端末１０側の役割が関連付けられて管理される。
【００６０】
（伝送管理テーブル）
図８（Ｂ）は、伝送管理テーブルを示す概念図である。記憶部５０００には、図８（Ｂ）に示されているような伝送管理テーブルによって伝送管理ＤＢ５００７が構築されている。この伝送管理テーブルでは、コンテンツデータの取得要求元の端末１０が利用しているサービスのサービスＩＤと、コンテンツデータの送信元の端末１０が利用しているサービスのサービスＩＤと、送信元から要求元への伝送が許可されるコンテンツデータを示すコンテンツ情報が関連付けられて管理される。なお、コンテンツ情報には、コンテンツデータの種類の他、例えば、画像データにおける解像度、フレームレート、ビットレート等のような条件が含まれていても良い。
【００６１】
＜管理システムの各機能構成＞
次に、管理システム５０の各機能構成について詳細に説明する。なお、以下では、管理システム５０の各機能構成を説明するにあたって、図４に示されている各構成要素のうち、管理システム５０の各機能構成を実現させるための主な構成要素との関係も説明する。
【００６２】
送受信部５１は、ＣＰＵ２０１からの命令、及びネットワークＩ／Ｆ２０９によって実現され、通信ネットワーク２を介して各端末、装置又はシステムと各種データ（または情報）の送受信を行う。
【００６３】
認証部５２は、ＣＰＵ２０１からの命令によって実現され、送受信部５１で受信された通信ＩＤ及びパスワードを検索キーとして、認証管理テーブルを検索し、この認証管理テーブルに同一の通信ＩＤ及びパスワードが管理されているかを判断することによって端末の認証を行う。
【００６４】
管理部５３は、ＣＰＵ２０１からの命令によって実現され、端末管理テーブル（図７（Ｂ）参照）において、最新の稼働状態を管理させるため、稼働状態を更新する処理を行う。また、管理部５３は、サービス利用申請に掛かるサービスの提供可否を判断する
【００６５】
セッション制御部５８は、ＣＰＵ２０１からの命令によって、端末１０間でコンテンツデータを送信するセッションを制御する。この制御としては、セッションを確立するための制御、確立されたセッションに端末１０を参加させる制御、セッションを切断する制御、確立されたセッションにおけるコンテンツデータの伝送の制御等が含まれる。
【００６６】
記憶・読出部５９は、ＣＰＵ２０１からの命令及びＨＤＤ２０５によって実現され、又はＣＰＵ２０１からの命令によって実現され、記憶部５０００に各種データを記憶したり、記憶部５０００に記憶された各種データを読み出す処理を行う。
【００６７】
＜＜通信システム１の処理・動作＞＞
続いて、通信システム１における処理及び動作を説明する。
【００６８】
（アプリリストの表示）
まずは、図９を用いて、端末１０ｄｂが起動してからアプリリストを表示させるまでの処理を説明する。図９は、端末１０が起動してからアプリリストを表示させるまでの処理を示したシーケンス図である。
【００６９】
まず、ユーザが、電源スイッチ１０９をＯＮにすると、操作入力受付部１２が電源ＯＮを受け付けて、端末１０ｄｂを起動させる（ステップＳ１）。送受信部１１は、上記電源ＯＮの受け付けを契機とし、通信ネットワーク２を介して管理システム５０に、ログイン要求を行う（ステップＳ２）。これにより、管理システム５０の送受信部５１は、ログイン要求を受け付ける。このログイン要求には、ログイン要求元である自端末１０ｄｂを識別するための通信ＩＤ及びパスワードが含まれている。これら通信ＩＤ及びパスワードは、記憶・読出部１９を介して記憶部１０００から読み出されて、送受信部１１に送られたデータである。なお、これら通信ＩＤ及びパスワードは、要求元端末のユーザによって入力されてもよい。また、これら通信ＩＤ及びパスワードは、記録メディア１０６から読み出した情報であってもよい。端末１０ｄｂから管理システム５０へログイン要求が送信されることで、受信側である管理システム５０は、送信側である端末１０ｄｂのＩＰアドレスを取得することができる。
【００７０】
次に、管理システム５０の認証部５２は、ログイン要求に含まれている通信ＩＤ及びパスワードを検索キーとして、記憶部５０００の認証管理テーブル（図７（Ａ）参照）を検索し、この認証管理テーブルに同一の通信ＩＤ及びパスワードが管理されているかを判断することによって認証を行う（ステップＳ３）。認証部５２によって、正当な利用権限を有する端末１０からのログイン要求であると認証された場合には、管理部５３は、端末管理テーブル（図７（Ｂ）参照）に、端末１０ｄｂの通信ＩＤ「０１ｄｂ」、稼働状態「ＯＮライン（通信可能）」、及び端末１０ｄｂのＩＰアドレスを関連付けて記憶する（ステップＳ４）。
【００７１】
そして、管理システム５０の送受信部５１は、上記認証部５２によって得られた認証結果が示された認証結果情報を、通信ネットワーク２を介して、上記ログイン要求元の端末１０ｄｂに送信する（ステップＳ５）。これにより、端末１０ｄｂの送受信部１１は、認証結果情報を受信する。
【００７２】
認証部５２によって正当な利用権限を有する端末であると判断された場合、端末１０ｄｂの送受信部１１は、通信ネットワーク２を介して管理システム５０に、端末１０ｄｂにインストールされているアプリの利用可否を示す利用可否情報を要求する（ステップＳ６）。この要求には、利用可否情報要求元の端末１０ｄｂの通信ＩＤが含まれている。これにより、管理システム５０の送受信部５１は、利用可否情報の要求を受け付ける。
【００７３】
次に、管理システム５０の記憶・読出部５９は、利用可否情報要求元の端末１０ｄｂの通信ＩＤを検索キーとしてアプリ利用可否管理テーブル（図７（Ｃ）を参照）を検索することにより、対応する利用可否情報を読み出す（ステップＳ７）。
【００７４】
次に、送受信部１１は、通信ネットワーク２を介して利用可否情報要求元の端末１０ｄｂに、上記ステップＳ７によって読み出された利用可否情報を送信する（ステップＳ８）。これにより、端末１０ｄｂの送受信部１１は、利用可否情報を受信する。
【００７５】
次に、表示制御部１３は、ディスプレイ１２０ｄｂ上に、図１０に示されているようなアプリリストの画面１４０を表示させる（ステップＳ９）。なお、図１０は、アプリリストの画面例を示した図である。この画面１４０には、利用可否情報が利用可能（Ｏｎ）として表されている全てのアプリＩＤ（ａ００１，ａ００２，…）毎に、対応するアプリアイコン（１４１，１４２，…）が表示される。
【００７６】
（端末１０ｄｂによるサービス利用申請）
続いて、端末１０ｄｂのユーザによって、アプリアイコンのうちアプリアイコン１４２が選択された場合について、図１１を用いて説明する。図１１は、サービス利用申請処理を示したシーケンス図である。
【００７７】
端末１０ｄｂのユーザが操作ボタン（１０８ａ〜１０８ｅ）を操作して、図１０に示されている複数のアプリアイコンのうち、レセプションアプリ１０３２を示すアプリアイコン１４２を選択すると、端末１０ｄｂの操作入力受付部１２は、ユーザによるアプリアイコンの選択を受け付ける（ステップＳ２１）。
【００７８】
続いて、装置制御部１０５０の操作入力受付部１２は、レセプションアプリ１０３２によって実現される起動部２２に対して、起動を命令することで、レセプションアプリ１０３２に対応する通話制御部１０６０を起動させる（ステップＳ２２）。なお、これよりも前は、装置制御部１０５０による処理であったが、これ以降は、レセプションアプリ１０３２が起動することによって実現される通話制御部１０６０による処理となる。
【００７９】
続いて、表示制御部２４は、レセプションアプリ１０３２に対応する端末１０ａｂ側の役割の選択肢「Operator, Guest」をディスプレイ１２０ｄｂに出力させる。これにより、操作入力受付部１２は、ユーザによる役割の入力を受け付ける（ステップＳ２３）。なお、上記では、レセプションアプリ１０３２を起動したときの例を示したが、本実形態はこれに限定されない。表示制御部２４がテレビ会議アプリ１０３１により実現され場合には、一例として、選択肢「Presenter, Audience, Participant」が出力される。表示制御部２４が、遠隔監視アプリにより実現される場合には、一例として、選択肢「Camera, Monitor」が出力される。
【００８０】
以下、端末１０ｄｂの操作入力受付部１２が、「Operator」の入力を受け付けた場合について説明を続ける。まず、端末１０ｄｂの送受信部２１は、サービス名「Reception」及びステップＳ２３で選択された役割「Operator」を含み、レセプションサービスをオペレータとして利用する旨のサービス利用申請を管理システム５０へ送信する（ステップＳ２４）。なお、サービス名「Reception」は、レセプションアプリ１０３２により実現される送受信部２１が、サービス利用申請に対して、追加したものである。
【００８１】
端末１０ｄｂは、管理システム５０に対してログイン完了しているため、管理システム５０の送受信部５１が、サービス利用申請を受け付けると、管理システム５０側では、利用申請元が端末１０ｄｂであることを特定することができる。なお、サービス利用申請に、利用申請元の端末１０ｄｂの通信ＩＤが含まれている場合には、管理システム５０は、サービス利用申請に含まれている通信ＩＤに基づいて利用申請元を特定しても良い。
【００８２】
続いて、管理部５３は、サービス利用申請に掛かるサービスの提供可否を判断する（ステップＳ２５）。この場合、記憶・読出部５９は、サービス利用申請に含まれているサービス名「Reception」、及び役割「Operator」の組を検索キーとして、サービスリスト管理テーブル（図８（Ａ）参照）を検索して、対応するサービスＩＤ「1004」を読み出す。続いて、記憶・読出部５９は、利用申請元の端末１０ｄｂの通信ＩＤ「０１ｄｂ」を検索キーとして、認証管理テーブル（図７（Ａ）参照）を検索し、対応するサービスＩＤ「1004」を読み出す。サービスリスト管理テーブルから読み出したサービスＩＤが、認証管理テーブルから読み出したサービスＩＤに含まれている場合には、管理部５３は利用申請に掛かるサービスを提供可能であると判断する。一方、サービスリスト管理テーブルから読み出したサービスＩＤが、認証管理テーブルから読み出したサービスＩＤに含まれていない場合には、管理部５３は利用申請に係るサービスを提供可能ではないと判断する。
【００８３】
以下、管理部５３によって、利用申請に係るサービスを提供可能であると判断された場合について説明を続ける。まず、記憶・読出部５９は、サービスリスト管理テーブルから読み出したサービスＩＤ「1004」を検索キーとして、伝送管理テーブル（図８（Ｂ）参照）における要求元のサービスＩＤのフィールドを検索することで、対応する送信元のサービスＩＤ「1005」、及びコンテンツ情報「画像データ，音データ」を読み出す（ステップＳ２６）。続いて、記憶・読出部５９は、ステップＳ２６で読み出した送信元のサービスＩＤ「1005」を検索キーとして、サービスリスト管理テーブル（図８（Ａ）参照）を検索し、対応するサービス名「Reception」及び役割「Guest」を読み出す（ステップＳ２７）。
【００８４】
続いて、管理システム５０の送受信部５１は、サービス利用申請が許可された旨を示すサービス利用申請応答を、利用申請元の端末１０ｄｂへ送信する（ステップＳ２８）。このサービス利用申請応答には、ステップＳ２７で読み出されたサービス名「Reception」及び役割「Guest」、ステップＳ２６で読み出されたコンテンツ情報「画像データ，音データ」が含まれている。これにより、端末１０ｄｂ側では、ゲストとしてレセプションサービスを利用している端末１０から、自端末への、画像データ及び音データの伝送が許可されることを把握することができる。なお、管理システム５０がＷＥＢサーバ機能を有する場合、送受信部５１は、利用申請を許可するときには、ＨＴＴＰステータスコード「２００」を端末１０ｄｂへ送信し、利用申請を拒否するときには、ＨＴＴＰステータスコード「４０３」又は「４０６」を端末１０ｄｂへ送信しても良い。
【００８５】
続いて、管理部５３は、端末管理テーブル（図７（Ｂ）参照）において、利用申請元の端末１０ｄｂの通信ＩＤに関連付けられている稼働状態を、「ＯＮライン（通信中）」に変更する（ステップＳ２９）。また、ステップＳ２９の処理の一環として、管理部５３は、端末管理テーブル（図７（Ｂ）参照）において、利用申請元の端末１０ｄｂの通信ＩＤに関連付けられているサービスＩＤを、ステップＳ２５でサービスリスト管理テーブルから読み出したサービスＩＤ、すなわち端末１０ｄｂが利用するサービスのサービスＩＤ「1004」に変更する。
【００８６】
続いて、セッション制御部５８は、サービス利用申請元の端末１０ｄｂが参加するコンテンツデータ用セッションｓｅｄを識別するためのセッションＩＤを生成する（ステップＳ３０）。また、ステップＳ３０の処理の一環として、セッション制御部５８は、このコンテンツデータ用セッションｓｅｄにおいてコンテンツデータを中継する中継装置３０を選択する。以下、生成されたセッションＩＤが「se1」、選択された中継装置３０が中継装置３０ｅである場合について説明を続ける。記憶・読出部５９は、セッション管理テーブル（図７（Ｄ）参照）において、生成されたセッションＩＤ「se1」、選択された中継装置３０ｅの中継装置ＩＤ「111e」、及びセッションに参加する端末１０ｄｂ（参加端末）の通信ＩＤ「01db」を関連付けて記憶する。
【００８７】
続いて、送受信部５１は、利用申請元の端末１０ｄｂへ、ステップＳ３０で選択された中継装置３０ｅに接続するための中継装置接続情報を送信する（ステップＳ３１）。この中継装置接続情報には、中継装置３０ｅのＩＰアドレス、認証情報、ポート番号、ステップＳ３０で生成したセッションＩＤ等を含めることができる。
【００８８】
サービス利用申請元の端末１０ｄｂは、管理システム５０から送られてきた中継装置接続情報を用いて、中継装置３０ｅと接続する。これにより、端末１０ｄｂと、中継装置３０ｅとの間で、コンテンツデータ用セッションｓｅｄが確立される（ステップＳ３２）。これにより、端末１０ｄｂは、自端末１０において生成されたコンテンツデータ（画像データ及び音データ）を中継装置３０ｅへ送信することができるようになる。なお、端末１０ｄｂから中継装置３０ｅへのコンテンツデータの送信を開始するタイミングは特に限定されず、コンテンツデータ用セッションが確立されたことを契機としても、中継装置３０ｅあるいは管理システム５０からの要求を契機としても良い。
【００８９】
（端末１０ａａによるサービス利用申請）
続いて図１２を用いて端末１０ａａが、サービス利用申請を行う場合の処理について説明する。図１２は、サービス利用申請処理を示したシーケンス図である。端末１０ａａ及び管理システム５０は、上記のステップＳ１乃至Ｓ９と同様の処理を実行することで、端末１０ａａのディスプレイ１２０ａａには、図１０に示されたようなアプリリストが表示されている。
【００９０】
以下、端末１０ａａにおける操作により、レセプションアプリ１０３２が選択され、端末１０ａａ側の役割として「Guest」が選択される場合について説明する。この場合、端末１０ａａ側では、上記のステップＳ２１乃至Ｓ２３と同様の処理（ステップＳ４１乃至Ｓ４３）が実行されることで、送受信部２１は、サービス名「Reception」及び役割「Guest」を含み、レセプションサービスをゲストとして利用する旨のサービス利用申請を管理システム５０へ送信する（ステップＳ４４）。
【００９１】
続いて、管理システム５０において、上記のステップＳ２５乃至Ｓ２８と同様の処理（ステップＳ４５乃至Ｓ４７）が実行されることで、管理システム５０の送受信部５１は、サービス利用申請応答を、利用申請元の端末１０ａａへ送信する（ステップＳ４８）。但し、このサービス利用申請応答には、ステップＳ４７で読み出されたサービス名「Reception」及び役割「Operator」、ステップＳ４６で読み出されたコンテンツ情報「画像データ（解像度640×360,フレームレート30，ビットレート700Kbps），音データ」が含まれている。これにより、端末１０ａａ側では、オペレータとしてレセプションサービスを利用している端末１０から、自端末への、所定の解像度等の画像データ及び音データの伝送が許可されることを把握することができる。
【００９２】
管理部５３は、端末管理テーブル（図７（Ｂ）参照）において、サービス利用申請元の端末１０ａａの通信ＩＤに関連付けられている稼働状態を、「ＯＮライン（通信中）」に変更する（ステップＳ４９）。また、ステップＳ４９の処理の一環として、管理部５３は、端末管理テーブル（図７（Ｂ）参照）において、利用申請元の端末１０ａａの通信ＩＤに関連付けられているサービスＩＤを、端末１０ａａが利用するサービスのサービスＩＤ「1005」に変更する。
【００９３】
続いて、セッション制御部５８は、ゲストとしてレセプションサービスを利用する端末１０ａａに対して、通信相手となるオペレータ側の端末１０を選択する（ステップＳ５０−１）。通信相手を選択する方法としては、特に限定されないが、セッション制御部５８が、端末管理テーブル（図７（Ｂ）参照）を参照して、オペレータに対応するサービスＩＤ「1004」に関連付けられている端末１０を選択する方法等が挙げられる。
【００９４】
以下、端末１０ａａの通信相手として、端末１０ｄｂが選択された場合について説明を続ける。記憶・読出部５９は、通信相手の端末１０ｄｂの通信ＩＤ「01db」を検索キーとしてセッション管理テーブル（図７（Ｄ）参照）を検索し、対応するセッションＩＤ「se1」及び中継装置ＩＤ「111e」を読み出す（ステップＳ５０−２）。さらに、ステップＳ５０−２の処理の一環として、記憶・読出部５９は、セッション管理テーブルにおいて、セッションＩＤ「se1」に関連付けて、サービス利用申請元の端末１０ａａの通信ＩＤ「01aa」を参加端末の通信ＩＤとして記憶する。
【００９５】
続いて、送受信部５１は、サービス利用申請元の端末１０ａａへ、ステップＳ５０−２で読み出された中継装置ＩＤにより識別される中継装置３０ｅに接続するための中継装置接続情報を送信する（ステップＳ５１）。この中継装置接続情報には、中継装置３０ｅのＩＰアドレス、認証情報、ポート番号、ステップＳ５０−２で読み出されたセッションＩＤ等を含めることができる。
【００９６】
サービス利用申請元の端末１０ａａは、管理システム５０から送信された中継装置接続情報を用いて、中継装置３０ｅと接続する。これにより、端末１０ａａと、中継装置３０ｅとの間で、コンテンツデータ用セッションｓｅｄが確立される（ステップＳ５２）。これにより、端末１０ａａは、自端末１０において生成されたコンテンツデータ（画像データ及び音データ）を中継装置３０ｅへ送信することができるようになる。
【００９７】
（端末１０ｄｂによるコンテンツデータの要求）
続いて、中継装置３０ｅを介して、端末（１０ｄｂ，１０ａａ）間のコンテンツデータ用セッションｓｅｄが確立されてから、端末１０ｄｂが、端末１０ａａが送信するコンテンツデータの取得を要求する処理について説明する。図１３は、コンテンツデータの取得を要求する処理を示したシーケンス図である。
【００９８】
コンテンツデータ用セッションｓｅｄに端末１０ａａが参加すると、管理システム５０の送受信部５１は、端末１０ａａの通信ＩＤを含み、端末１０ａａがコンテンツデータ用セッションに参加したことを示す参加通知を端末１０ｄｂへ送信する（ステップＳ６１）。
【００９９】
この参加通知に応じて、端末１０ｄｂの送受信部２１は、端末１０ａａが送信するコンテンツデータの取得要求を管理システム５０へ送信する（ステップＳ６２）。この取得要求には、取得要求元の端末１０ｄｂの通信ＩＤ「01db」、コンテンツデータの送信元の端末１０ａａの通信ＩＤ「01aa」が含まれている。また、取得要求には、取得するコンテンツデータの種類、コンテンツデータの解像度、フレームレート、ビットレート、サンプルレートなどの条件を示したコンテンツ情報が含まれている。なお、コンテンツ情報は、端末１０ｄｂの記憶部１０００に予め記憶されていたものであっても、ユーザによる入力に基づいたものであっても、ステップＳ２８において管理システム５０から送られてきたコンテンツ情報の中から端末１０ｄｂが選択したものであっても良い。
【０１００】
管理システム５０の送受信部５１がコンテンツデータの取得要求を受信すると、セッション制御部５８は、端末１０ａａから端末１０ｄｂへ要求に係るコンテンツデータを伝送することが可能であるか否かを判断する（ステップＳ６３）。図１４を用いてステップＳ６３の処理を詳細に説明する。図１４は、コンテンツデータの伝送の可否を判断する処理を示したフロー図である。
【０１０１】
まず、記憶・読出部５９は、取得要求元の端末１０ｄｂの通信ＩＤ「01db」を検索キーとして、端末管理テーブル（図７（Ｂ）参照）を検索し、対応するサービスＩＤ「1004」を読み出す（ステップＳ６３−１）。続いて、記憶・読出部５９は、コンテンツデータの送信元の端末１０ａａの通信ＩＤ「01aa」を検索キーとして、端末管理テーブル（図７（Ｂ）参照）を検索し、対応するサービスＩＤ「1005」を読み出す（ステップＳ６３−２）。
【０１０２】
続いて、記憶・読出部５９は、ステップＳ６３−１で読み出された取得要求元の端末１０ｄｂが利用しているサービスのサービスＩＤ「1004」を検索キーとして、伝送管理テーブル（図８（Ｂ）参照）を検索し、対応する送信元のサービスＩＤ「1005」、及び、コンテンツ情報「画像データ,音データ」を読み出す（ステップＳ６３−３）。
【０１０３】
セッション制御部５８は、ステップＳ６３−２で読み出した端末１０ａａが利用しているサービスのサービスＩＤが、ステップＳ６３−３で読み出したサービスＩＤに含まれているか否かを判断する（ステップＳ６３−４）。端末１０ａａが利用しているサービスのサービスＩＤが、ステップＳ６３−３で読み出したサービスＩＤに含まれていないと判断された場合（ステップＳ６３−４のＮＯ）、セッション制御部５８は、端末１０ａａから端末１０ｄｂへのコンテンツデータの伝送は不可であると判断する（ステップＳ６３−５）。これは、コンテンツデータの送信元が、コンテンツデータの取得要求元が利用しているサービスへのコンテンツデータの送信が許可されるサービスを利用していないためである。
【０１０４】
端末１０ａａが利用しているサービスのサービスＩＤが、ステップＳ６３−３で読み出した端末１０ａａのサービスＩＤに含まれていると判断された場合（ステップＳ６３−４のＹＥＳ）、セッション制御部５８は、取得要求に含まれているコンテンツ情報が、ステップＳ６３−３で読み出されたコンテンツ情報に含まれているか否かを判断する（ステップＳ６３−６）。取得要求に含まれているコンテンツ情報が、ステップＳ６３−３で読み出したコンテンツ情報に含まれていないと判断された場合（ステップＳ６３−６のＮＯ）、セッション制御部５８は、端末１０ａａから端末１０ｄｂへのコンテンツデータの伝送は不可であると判断する（ステップＳ６３−７）。これは、取得要求にかかるコンテンツデータと、伝送が許可されるコンテンツデータと、が合致しないためである。
【０１０５】
取得要求に含まれているコンテンツ情報が、ステップＳ６３−３で読み出したコンテンツ情報に含まれていると判断された場合（ステップＳ６３−６のＹＥＳ）、セッション制御部５８は、端末１０ａａから端末１０ｄｂへの取得要求に係るコンテンツデータの伝送は可能であると判断する（ステップＳ６３−８）。
【０１０６】
管理システム５０の送受信部５１は、ステップＳ６３における判断結果に基づいて、伝送を許可または拒否する旨が示された応答を取得要求元の端末１０ｄｂへ送信する（ステップＳ６４）。コンテンツデータの伝送が可能であると判断された場合には、管理システム５０の送受信部５１は、中継装置３０ｅから、端末１０ａａが送信するコンテンツデータの解像度や、フレームレート、ビットレート、サンプルレートなどの情報を取得する。管理システム５０の送受信部５１は、上記の応答をする際に、あるいは、後述の中継開始要求に対する中継装置３０ｅの応答を端末１０ｄｂへ通知する際に、中継装置３０ｅから取得した情報を送信しても良い。なお、管理システム５０がＷＥＢサーバ機能を有する場合、送受信部５１は、取得要求を許可するときには、応答としてＨＴＴＰステータスコード「２００」を端末１０ｄｂへ送信し、取得要求を拒否するときには、応答としてＨＴＴＰステータスコード「４０３」又は「４０６」を端末１０ｄｂへ送信しても良い。この場合、ＨＴＴＰのＢＯＤＹに拒否する理由を記述することができる。
【０１０７】
ステップＳ６３でコンテンツデータの伝送が不可であると判断された場合には、管理システムは、処理を終了する。これにより、取得要求に係るコンテンツデータが伝送されないことになる。
【０１０８】
ステップＳ６３でコンテンツデータの伝送が可能であると判断された場合には、管理システム５０の送受信部５１は、取得要求に係るコンテンツデータの中継開始要求を中継装置３０ｅへ送信する（ステップＳ６５）。中継開始要求には、取得要求元の端末１０ｄｂの通信ＩＤ「01db」又はＩＰアドレス、送信元の端末１０ａａの通信ＩＤ「01aa」又はＩＰアドレス、取得要求に含まれるコンテンツ情報が含まれている。
【０１０９】
中継装置３０ｅは、中継開始要求において指定された端末（１０ａａ，１０ｄｂ）と接続していない場合には、エラーメッセージを管理システム５０へ送信する。一方で、中継装置３０ｅは、中継開始要求において指定された端末（１０ａａ，１０ｄｂ）と接続している場合には、中継を開始する旨の応答を管理システム５０へ送信する（ステップＳ６６）。続いて、中継装置３０ｅは、指定された送信元の端末１０ａａから送られてきたコンテンツデータのうち端末１０ｄｂが取得要求したコンテンツデータを端末１０ｄｂへ送信開始する。
【０１１０】
以上、端末１０ｄｂの要求に基づいて、端末１０ａａから端末１０ｄｂへコンテンツデータを伝送する処理を説明した。端末１０ａａの要求に基づいて、端末１０ｄｂから端末１０ａａへコンテンツデータを伝送する処理は、ステップＳ６２乃至Ｓ６６の処理と同様であるので説明を省略する。
【０１１１】
＜＜＜第２の実施形態＞＞＞
続いて、第２の実施形態について、第１の実施形態とは異なる点について説明する。図１５は、第２の実施形態の通信システム１の一部を構成する端末１０の機能ブロック図である。第２の実施形態では、第１の実施形態における伝送管理テーブルが、各端末１０の記憶部１０００にも記憶されている。即ち、記憶部１０００において、伝送管理テーブルによって伝送管理ＤＢ１００７が構築される。なお、伝送管理テーブルの内容は、第１の実施形態における伝送管理テーブル（図８（Ｂ）参照）と同様であるので説明を省略する。
【０１１２】
（端末１０ｄｂによるコンテンツデータの要求）
続いて、端末（１０ｄｂ，１０ａａ）間でコンテンツデータを送信するためのセッションが確立されてから、端末１０ｄｂが、コンテンツデータの取得を要求する処理について説明する。図１６は、コンテンツデータの取得を要求する処理を示したシーケンス図である。
【０１１３】
コンテンツデータ用セッションｓｅｄに端末１０ａａが参加すると、管理システム５０の送受信部５１は、端末１０ａａの通信ＩＤを含み、端末１０ａａがコンテンツデータ用セッションに参加したことを示す参加通知を端末１０ｄｂへ送信する（ステップＳ８１）。
【０１１４】
端末１０ｄｂの送受信部２１は、端末１０ａａが送信するコンテンツデータの取得要求を管理システム５０へ送信する（ステップＳ８２）。この取得要求には、取得要求元の端末１０ｄｂの通信ＩＤ「01db」、コンテンツデータの送信元の端末１０ａａの通信ＩＤ「01aa」が含まれている。また、取得要求には、取得するコンテンツデータの種類、コンテンツデータの解像度、フレームレート、ビットレート、サンプルレートなどの条件を示したコンテンツ情報が含まれている。
【０１１５】
管理システム５０の送受信部５１がコンテンツデータの取得要求を受信すると、記憶・読出部５９は、取得要求元の端末１０ｄｂの通信ＩＤ「01db」を検索キーとして、端末管理テーブル（図７（Ｂ）参照）を検索し、対応するサービスＩＤ「1004」を読み出す（ステップＳ８３）。また、記憶・読出部５９は、ステップＳ８３の処理の一環として、コンテンツデータの送信元の端末１０ａａの通信ＩＤ「01aa」を検索キーとして、端末管理テーブル（図７（Ｂ）参照）を検索し、対応するサービスＩＤ「1005」を読み出す。
【０１１６】
続いて、管理システム５０の送受信部５１は、端末１０ｄｂから送られてきた取得要求に、ステップＳ８３で読み出した、取得要求元の端末１０ｄｂが利用しているサービスのサービスＩＤ「1004」、送信元の端末１０ａａが利用しているサービスのサービスＩＤ「1005」を追加して、端末１０ａａへ送信する（ステップＳ８４）。
【０１１７】
取得要求およびサービスＩＤを端末１０ａａの送受信部２１が受信すると、機能実行部２５は、端末１０ａａから端末１０ｄｂへコンテンツデータを伝送することが可能であるか否かを判断する（ステップＳ８５）。図１７を用いてステップＳ８５の処理を詳細に説明する。図１７は、コンテンツデータの伝送の可否を判断する処理を示したフロー図である。
【０１１８】
まず、記憶・読出部２９は、管理システム５０から送られてきた取得要求元の端末１０ｄｂのサービスＩＤ「1004」を検索キーとして、伝送管理テーブル（図８（Ｂ）参照）を検索し、対応する送信元のサービスＩＤ「1005」、及び、コンテンツ情報「画像データ,音データ」を読み出す（ステップＳ８５−１）。
【０１１９】
機能実行部２５は、管理システム５０から送られてきた端末１０ａａが利用しているサービスのサービスＩＤが、ステップＳ８５−１で読み出したサービスＩＤに含まれているか否かを判断する（ステップＳ８５−２）。端末１０ａａが利用しているサービスのサービスＩＤが、ステップＳ８５−１で読み出したサービスＩＤに含まれていないと判断された場合（ステップＳ８５−２のＮＯ）、機能実行部２５は、端末１０ａａから端末１０ｄｂへのコンテンツデータの伝送は不可であると判断する（ステップＳ８５−３）。
【０１２０】
端末１０ａａが利用しているサービスのサービスＩＤが、ステップＳ８５−１で読み出したサービスＩＤに含まれていると判断された場合（ステップＳ８５−２のＹＥＳ）、機能実行部２５は、取得要求に含まれているコンテンツ情報が、ステップＳ８５−１で読み出したコンテンツ情報に含まれているか否かを判断する（ステップＳ８５−４）。取得要求に含まれているコンテンツ情報が、ステップＳ８５−１で読み出したコンテンツ情報に含まれていないと判断された場合（ステップＳ８５−４のＮＯ）、機能実行部２５は、端末１０ａａから端末１０ｄｂへのコンテンツデータの伝送は不可であると判断する（ステップＳ８５−５）。
【０１２１】
取得要求に含まれているコンテンツ情報が、ステップＳ８５−１で読み出したコンテンツ情報に含まれていると判断された場合（ステップＳ８５−４のＹＥＳ）、機能実行部２５は、端末１０ａａから端末１０ｄｂへ取得要求に係るコンテンツデータの伝送は可能であると判断する（ステップＳ８５−６）。
【０１２２】
続いて、送受信部２１は、ステップＳ８５における判断結果に基づいて、伝送を許可または拒否する旨が示された、応答を管理システム５０へ送信する（ステップＳ８６）。以降のステップＳ８７乃至Ｓ８９の処理は、第１の実施形態におけるステップＳ６４乃至Ｓ６６の処理と同様であるので、説明を省略する。
【０１２３】
＜＜＜第３の実施形態＞＞＞
続いて、第３の実施形態について、第２の実施形態とは異なる点について説明する。図１８は、第３の実施形態の通信システム１の一部を構成する端末１０の機能ブロック図である。第３の実施形態では、第２の実施形態におけるサービスリスト管理テーブルが、各端末１０の記憶部１０００に記憶されている。即ち、記憶部１０００において、サービスリスト管理テーブルによってサービスリスト管理ＤＢ１００６が構築される。なお、サービスリスト管理テーブルの内容は、第１の実施形態におけるサービスリスト管理テーブル（図８（Ａ）参照）と同様であるので説明を省略する。なお、第３の実施形態では、端末１０は、サービスの利用申請を管理システム５０とは異なるシステムに申請することができる。この場合、端末１０は、申請したサービス名及び役割に基づいて、自装置で管理するサービスリスト管理テーブルを参照することにより、自装置が利用しているサービスのサービスＩＤを管理することができる。
【０１２４】
（端末１０ｄｂによるコンテンツデータの要求）
続いて、端末（１０ｄｂ，１０ａａ）間でコンテンツデータを送信するためのセッションが確立されてから、端末１０ｄｂが、コンテンツデータの取得を要求する処理について説明する。図１９は、コンテンツデータの取得を要求する処理を示したシーケンス図である。
【０１２５】
コンテンツデータ用セッションｓｅｄに端末１０ａａが参加すると、管理システム５０の送受信部５１は、端末１０ａａの通信ＩＤを含み、端末１０ａａがコンテンツデータ用セッションに参加したことを示す参加通知を端末１０ｄｂへ送信する（ステップＳ１０１）。
【０１２６】
端末１０ｄｂの送受信部２１は、端末１０ａａが送信するコンテンツデータの取得要求及び自端末（端末１０ｄｂ）が利用するサービスのサービスＩＤを管理システム５０へ送信する（ステップＳ８２）。この取得要求には、取得要求元の端末１０ｄｂの通信ＩＤ「01db」、コンテンツデータの送信元の端末１０ａａの通信ＩＤ「01aa」が含まれている。また、取得要求には、取得するコンテンツデータの種類、コンテンツデータの解像度、フレームレート、ビットレート、サンプルレートなどの条件を示したコンテンツ情報が含まれている。
【０１２７】
管理システム５０の送受信部５１がコンテンツデータの取得要求及びサービスＩＤを受信すると、端末１０ｄｂから送られてきた取得要求及びサービスＩＤを端末１０ａａへ送信する（ステップＳ１０３）。
【０１２８】
コンテンツデータ取得要求およびセッションＩＤを端末１０ａａの送受信部２１が受信すると、機能実行部２５が、第２の実施形態におけるステップＳ８５の処理と同様にして、端末１０ａａから端末１０ｄｂへコンテンツデータを伝送することが可能であるか否かを判断する（ステップＳ１０４）。ただし、第３の実施形態では、端末１０ａａが利用しているサービスのサービスＩＤは、管理システム５０から送られてこない。このため、端末１０ａａは、自端末（端末１０ａａ）が利用しているサービスのサービスＩＤについては、自端末が管理しているサービスＩＤを用いて、上記の判断を行う。
【０１２９】
ステップＳ１０５乃至Ｓ１０８の処理は、第２の実施形態におけるステップＳ８６乃至８９の処理と同様であるので説明を省略する。
【０１３０】
＜＜実施形態の効果＞＞
第１の実施形態の管理システム５０、若しくは、第２又は第３の実施形態の端末１０（いずれも伝送管理装置の一例）は、複数の端末１０間のコンテンツデータの伝送を管理する。第１の実施形態の伝送管理ＤＢ５００７、若しくは、第２又は第３の実施形態の伝送管理ＤＢ１００７（いずれも伝送管理手段の一例）は、複数の端末１０のうち、一方の端末１０が利用するサービスのサービスＩＤ（識別情報の一例）、及び他方の端末１０が利用するサービスのサービスＩＤに関連付けて、一方の端末１０へ伝送するコンテンツデータを特定するためのコンテンツ情報（特定情報の一例）を管理する。第１の実施形態のセッション制御部５８、若しくは、第２又は第３の実施形態の機能実行部２５（いずれも伝送制御手段の一例）は、複数の端末１０間で、コンテンツデータを伝送するコンテンツデータ用セッションｓｅｄが確立されてから、複数の端末１０のうち、一方の端末１０が利用するサービスのサービスＩＤ、及び他方の端末１０が利用するサービスのサービスＩＤに関連付けられて、伝送管理ＤＢ（５００７、若しくは、１００７）において管理されているコンテンツ情報によって特定されるコンテンツデータが、他方の端末１０から一方の端末１０へ伝送されるように制御する（伝送方法の一例）。これにより、個々の端末１０が個々のサービスを利用して通信する場合に、サービス毎に機能を任意にカスタマイズすることが可能であっても、端末１０間のコンテンツデータの伝送を管理することが容易になる。また、各端末１０が、例えば、提供元の異なるサービスを利用する場合でも、サービスの組み合わせ毎に伝送可能なコンテンツデータを予め設定しておくことが可能となるので、セキュリティが向上する。
【０１３１】
第１の実施形態の送受信部５１（利用申請受付手段の一例）は、複数の端末１０のそれぞれからサービスの利用申請を受け付ける。セッション制御部５８は、送受信部５１が、端末１０から受け付けたそれぞれＩＤに基づいて、コンテンツデータの伝送を制御する。これにより、端末１０のサービス利用申請に応じて、管理システム５０側で自動的にコンテンツデータの伝送を制御できるようになる。
【０１３２】
第１の実施形態のサービスリスト管理ＤＢ５００６（サービス管理手段の一例）は、サービス名（名称情報の一例）、及び、端末１０側の役割（ロール情報の一例）に関連付けて、サービスＩＤを管理する。送受信部５１は、サービス名及び役割を指定したサービスの利用申請を受け付ける。セッション制御部５８は、指定されたサービス名、及び指定された役割に関連付けられたサービスＩＤに基づいて、コンテンツデータの伝送を制御する。これにより、端末１０側の役割に応じて、コンテンツデータの伝送を制御できるようになる。
【０１３３】
第２の実施形態の端末１０の送受信部２１（受信手段の一例）は、自端末及び通信相手の端末１０が利用するサービスのサービスＩＤを受信する（受信処理の一例）。端末１０の機能実行部２５は、送受信部２１が受信したサービスＩＤに基づいて、コンテンツデータの伝送を制御する。これにより、端末１０側でコンテンツデータの伝送を制御できるようになるので、システムの設計の自由度が向上する。
【０１３４】
端末１０の送受信部２１（受信手段の一例）は、通信相手の端末１０が利用するサービスのサービスＩＤを受信する。端末１０の機能実行部２５は、送受信部２１が受信したサービスＩＤ、及び自端末が利用するサービスのサービスＩＤに基づいて、コンテンツデータの伝送を制御する。これにより、管理システム５０側で、端末１０毎のサービスＩＤを管理しなくても良くなるので、システムの設計の自由度が向上する。
【０１３５】
管理システム５０の送受信部（送信手段の一例）は、セッション制御部５８による制御内容に基づいた中継開始要求を中継装置３０へ送信する。これにより、中継装置３０は、管理システム５０による制御に基づいてコンテンツデータを中継できるようになる。
【０１３６】
＜＜実施形態の補足＞＞
上記各実施の形態における端末１０、管理システム５０、及びプログラム提供システム９０は、単一のコンピュータによって構築されてもよいし、各部（機能又は手段）を分割して任意に割り当てられた複数のコンピュータによって構築されていてもよい。また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。更に、プログラム提供システム９０が複数のコンピュータによって構築されている場合には、複数のモジュールが分けられた状態で、各コンピュータから送信されるようにしてもよい。
【０１３７】
また、上記通信システム１の端末用プログラム、中継装置用プログラム、及び通信管理用プログラムが記憶された記録媒体、並びに、これらプログラムが記憶されたＨＤ２０４、及びこのＨＤ２０４を備えたプログラム提供システム９０は、いずれもプログラム製品（Program Product）として、国内又は国外へ、上記端末用プログラム、中継装置用プログラム、及び通信管理用プログラムがユーザ等に提供される場合に用いられる。
【０１３８】
更に、上記通信システム１では、図７（Ｂ）に示されている端末管理テーブルにおいて端末のＩＰアドレスを管理することとしたが、これに限るものではなく、通信ネットワーク２上で端末１０を特定するための情報であれば、それぞれのＦＱＤＮ（Fully Qualified Domain Name）を管理してもよい。この場合、周知のＤＮＳ（Domain Name System）サーバによって、ＦＱＤＮに対応するＩＰアドレスが取得されることになる。
【０１３９】
通信システム１において、「テレビ会議」は、「ビデオ会議」と置き換え可能な用語として用いられている。
【０１４０】
また、上記通信システム１では、通信システム１の一例として、テレビ会議システムの場合について説明したが、これに限るものではなく、カーナビゲーションシステムであってもよい。この場合、例えば、端末１０の一方が自動車に搭載されたカーナビゲーション装置に相当し、端末１０の他方が、カーナビゲーションを管理する管理センターの管理端末若しくは管理サーバ、又は他の自動車に搭載されているカーナビゲーション装置に相当する。
【０１４１】
更に、通信システム１は、音会議システム、又はＰＣ(Personal Computer)画面共有システムであっても良い。また、通信システム１は、ＩＰ（Internet Protocol）電話や、インターネット電話、携帯電話の通信システムであってもよい。この場合、例えば、端末１０は携帯電話機などの電話機に相当する。
【０１４２】
また、コンテンツデータは、脈拍音、鼓動等の体内で発生する音データ、心電図の波形、体温の変化を示す画像データあるいは座標データ等の体内の情報を示すデータであっても良い。これにより、上記実施形態の通信システム１を遠隔医療システムとして用いることもできる。
【０１４３】
また、上記実施形態では、コンテンツデータの一例として、画像データ及び音データについて説明したが、これに限るものではない。なお、コンテンツデータは、リアルタイムなコミュニケーションを実現するためのメディアであることが好ましい。このメディアとしては、静止画及び動画などの画像データ、音データの他、画面共有データ、メッセージ、ストロークデータ、操作データ等のストリーミングデータが挙げられる。また、コンテンツデータは、触覚(touch)データであってもよい。この場合、一方の端末側でユーザが接触した感覚が、他方の端末側に伝達される。更に、コンテンツデータは、嗅覚（smell）データであってもよい。この場合、一方の端末側の匂い（臭い）が、他の端末側に伝達される。また、コンテンツデータは、画像データ、音データ、触覚データ、及び嗅覚データのうち、少なくとも１つのデータであればよい。
【０１４４】
なお、各端末１０は、複数の事業所間での通話や、同じ事業所内の異なる部屋間での通話だけでなく、同じ部屋内での通話や、屋外と屋内又は屋外と屋外での通話で使われてもよい。各端末１０が屋外で使われる場合には、携帯電話通信網等の無線による通信が行われる。また、上記実施形態では、通信システム１によってテレビ会議をする場合について説明したが、これに限るものではなく、打ち合わせ、家族間や友人間等の一般的な会話、又は、一方向での情報の提示に使用されても構わない。
【先行技術文献】
【特許文献】
【０１４５】
【特許文献１】特開２０１２−１９１５９８号公報
【符号の説明】
【０１４６】
１０  端末
１１  送受信部
１２  操作入力受付部
１３  表示制御部
１９  記憶・読出部
２１  送受信部
２２  起動部
２４  表示制御部
２５  機能実行部
２９  記憶・読出部
３０  中継装置
５０  管理システム
５１  送受信部
５２  認証部
５３  管理部
５８  セッション制御部
５９  記憶・読出部
１０００，５０００  記憶部
５００１  認証管理ＤＢ
５００２  端末管理ＤＢ
５００３  アプリ利用可否管理ＤＢ
５００５  セッション管理ＤＢ
１００６，５００６  サービスリスト管理ＤＢ
１００７，５００７  伝送管理ＤＢ
【図１】
2016072970.tif 000003
【図２】
2016072970.tif 000004
【図３】
2016072970.tif 000005
【図４】
2016072970.tif 000006
【図５】
2016072970.tif 000007
【図６】
2016072970.tif 000008
【図７】
2016072970.tif 000009
【図８】
2016072970.tif 000010
【図９】
2016072970.tif 000011
【図１０】
2016072970.tif 000012
【図１１】
2016072970.tif 000013
【図１２】
2016072970.tif 000014
【図１３】
2016072970.tif 000015
【図１４】
2016072970.tif 000016
【図１５】
2016072970.tif 000017
【図１６】
2016072970.tif 000018
【図１７】
2016072970.tif 000019
【図１８】
2016072970.tif 000020
【図１９】
2016072970.tif 000021